(57)【要約】【課題】  棚板上面の本を載置するためのスペースを広くでき、棚板に本を簡単に載置でき、本を支持した際に左右方向に回動して倒れることを防止でき、棚板にブックエンドを簡単に取付けられる。【解決手段】  ブックエンド２は前後方向に沿う平面視直線状の本支持部３を備える。本支持部３の下端に側面視略コ字状のコ字状挟持部４を設ける。コ字状挟持部４の上横辺部分を構成する上面当接部４ａを前後方向に沿う平面視略直線状に形成する。コ字状挟持部４の下横辺部分を構成する下面弾接部４ｃの前後方向の一部又は全部を前記平面視略直線状の上面当接部４ａよりも左右方向に幅広に形成する。ブックエンド２のコ字状挟持部４内に棚板１を挿入する。該コ字状挟持部４内に挿入された棚板１の上面に上面当接部４ａを当接すると共に棚板１の下面に下面弾接部４ｃを弾接して、コ字状挟持部４で棚板１を挟持する。【選択図】        図１
2005066124.tif 000002
【特許請求の範囲】
【請求項１】
前後方向に沿う平面視直線状の本支持部を備えて該本支持部にて棚板に載置された本を支持するブックエンドを有し、本支持部の下端に側面視略コ字状のコ字状挟持部を設け、コ字状挟持部の上横辺部分を構成する上面当接部を前後方向に沿う平面視略直線状に形成し、コ字状挟持部の下横辺部分を構成する下面弾接部の前後方向の一部又は全部を前記平面視略直線状の上面当接部よりも左右方向に幅広に形成し、ブックエンドのコ字状挟持部内に棚板を挿入し、該コ字状挟持部内に挿入された棚板の上面に上面当接部を当接すると共に該棚板の下面に下面弾接部を弾接して、コ字状挟持部で棚板を挟持してなることを特徴とするブックエンドの取付け構造。
【請求項２】
本支持部の下端に係合部を設け、コ字状挟持部の中央辺部分を構成する端面近接部を上記コ字状挟持部に挿入された棚板の端面に近接し、この端面近接部に近接した端面と反対側の棚板の端面に前記本支持部の係合部を係合してなることを特徴とする請求項１記載のブックエンドの取付け構造。
【発明の詳細な説明】
【技術分野】
【０００１】
本発明はブックエンドの取付け構造に関する。
【背景技術】
【０００２】
従来から棚板に載置された本を立て掛けるためのブックエンドが知られている。このブックエンドは一般的に前後方向に平行な縦片部と、縦片部の下端より左右方向に突出した横片部とからなり、正面視Ｌ字状又はＴ字状に形成されており、横片部を棚板に載置することで縦片部を棚板に垂直に立てた状態にし、この縦片部にて棚板に載置された本を支持する。
【０００３】
しかし上記ブックエンドは棚板に載置してあるだけで取付けられておらず、縦片部にて本を支持した際等にブックエンドが左右方向や前後方向にずれ易く、さらには横片部は棚板の上面に露出しているため、例えば棚板に並べて載置された本を左右方向にずらした際に本の下端が横片部の端面に当たってしまうこととなり、このように横片部が棚板の上面に露出している点でもブックエンドは左右方向や前後方向にずれ易くなっている。
【０００４】
また上記とは別に棚板にブックエンドを取付けたものも知られている。このブックエンドは、棚板に載置された本を支持するための前後方向に沿った平面視直線状の本支持部を左右方向に間隔を介して複数並べ、該本支持部同士を左右方向と平行な連結部にて連結し、複数の本支持部の内、一つの本支持部の後端部の下端に左右方向に幅広の側面視略コ字状のコ字状部を形成し、上記連結部で連結されて左右方向に複数並べられた本支持部を棚板に載置し、コ字状部の上横辺部分を棚板に載置し、コ字状部の下横辺部分と上横片部分との間に棚板の後端部を挿入し、コ字状部の下横辺部分に設けた万力を締めることでコ字状部内に挿入した棚板の後端部をコ字状部の上横片部分と万力とで挟持するものであって、このようにブックエンドを棚板に取付けることで、ブックエンドを左右方向や前後方向にずれ難くしており、また左右方向に複数並ぶ本支持部を棚板に載置することで、本を支持した際にブックエンドが左右方向に回動して倒れ難くなっている（例えば特許文献１）。
【０００５】
しかし上記特許文献１に示す従来例にあっては、本支持部を連結するための左右方向と平行な連結部や、左右方向に幅の広いコ字状部の上横辺部分が棚板の上方に露出してしまうため、これにより棚板の上面における本を載置するためのスペースが狭くなったり、また前記連結部や、コ字状部の上横辺部分が棚板に本を載置する際に邪魔になる。さらにはブックエンドの取付けの際には万力を締めなければならず、ブックエンドの取付け作業が面倒である。
【０００６】
上記のように従来のブックエンドの取付け構造にはブックエンドの棚板の上方に露出する部分が前後方向に沿う平面視略直線状となったものはなく、このようなブックエンドの取付け構造は、棚板の本を載置するスペースを広くでき、且つ棚板に本を載置し易くなるため、従来から強く要望されているが、このようにブックエンドの棚板の上方に露出する部分が前後方向に沿う平面視略直線状となったものは、取付け構造上ブックエンドが左右方向に倒れ易いという問題を抱えており実現には未だ至っていない。
【特許文献１】特開昭５３−３１４１７号公報
【発明の開示】
【発明が解決しようとする課題】
【０００７】
本発明は上記従来の問題点に鑑みて発明したものであって、棚板にブックエンドを取付けて左右方向や前後方向にずれることを防止できるのは勿論のこと、加えて棚板上面の本を載置するためのスペースを広くでき、且つ棚板に本を載置し易く、且つ本を支持した際に左右方向に回動して倒れることを防止でき、且つ棚板にブックエンドを簡単に取付けることができるブックエンドの取付け構造を提供することを課題とするものである。
【課題を解決するための手段】
【０００８】
上記課題を解決するために本発明に係るブックエンドの取付け構造は、前後方向に沿う平面視直線状の本支持部３を備えて該本支持部３にて棚板１に載置された本を支持するブックエンド２を有し、本支持部３の下端に側面視略コ字状のコ字状挟持部４を設け、コ字状挟持部４の上横辺部分を構成する上面当接部４ａを前後方向に沿う平面視略直線状に形成し、コ字状挟持部４の下横辺部分を構成する下面弾接部４ｃの前後方向の一部又は全部を前記平面視略直線状の上面当接部４ａよりも左右方向に幅広に形成し、ブックエンド２のコ字状挟持部４内に棚板１を挿入し、該コ字状挟持部４内に挿入された棚板１の上面に上面当接部４ａを当接すると共に該棚板１の下面に下面弾接部４ｃを弾接して、コ字状挟持部４で棚板１を挟持してなることを特徴とする。
【０００９】
このようにブックエンド２を棚板１に取付けることで、ブックエンド２が左右方向や前後方向にずれることを防止できるのは勿論のこと、加えてコ字状挟持部４の上面当接部４ａを前後方向に沿う平面視略直線状に形成し、コ字状挟持部４の下面弾接部４ｃの前後方向の一部又は全部を前記平面視略直線状の上面当接部４ａよりも左右方向に幅広に形成し、ブックエンド２のコ字状挟持部４内に棚板１を挿入し、該コ字状挟持部４内に挿入された棚板１の上面に上面当接部４ａを当接すると共に該棚板１の下面に下面弾接部４ｃを弾接して、コ字状挟持部４で棚板１を挟持するといった取付け構造により、ブックエンド２の棚板１の上方に露出する部分は、前後方向に沿う平面視直線状の本支持部３と、前後方向に沿う平面視略直線状の上面当接部４ａのみが露出することとなり、即ちブックエンド２の棚板１の上方に露出する部分を前後方向に平行な平面視直線状とすることができ、これにより従来のように邪魔になる左右方向に幅の広い部分が棚板１の上方に露出することがなくて、棚板１の上面の本を載置するためのスペースを広くでき、且つ簡単に棚板１に本を載置できる。さらには、棚板１の下面に左右方向に幅の広い下面弾接部４ｃを弾接することで、本を支持した際に左右方向に回動して倒れることも防止できる。さらにはコ字状挟持部４内に棚板１を挿入するだけで、上面当接部４ａと下面弾接部４ｃとで棚板１を挟持できるため、ブックエンド２を棚板１に簡単に取付けることができる。
【００１０】
また請求項２は請求項１において、本支持部３の下端に係合部を設け、コ字状挟持部４の中央辺部分を構成する端面近接部４ｂを上記コ字状挟持部４に挿入された棚板１の端面に近接し、この端面近接部４ｂに近接した端面と反対側の棚板１の端面に前記本支持部３の係合部を係合してなることを特徴とする。
【００１１】
このように、コ字状挟持部４の中央辺部分を構成する端面近接部４ｂを上記コ字状挟持部４に挿入された棚板１の端面に近接し、この端面近接部４ｂに近接した端面と反対側の棚板１の端面に前記本支持部３の係合部を係合することで、コ字状挟持部４の端面近接部４ｂと、係合部とでブックエンド２が前後方向に移動することをより一層防止できる。
【発明の効果】
【００１２】
本発明によれば、棚板にブックエンドを取付けて左右方向や前後方向にずれることを防止できるのは勿論のこと、加えて棚板上面の本を載置するためのスペースを広くでき、且つ棚板に本を載置し易く、且つ本を支持した際に左右方向に回動して倒れることを防止でき、且つ棚板にブックエンドを簡単に取付けることができる。
【発明を実施するための最良の形態】
【００１３】
図１〜４に基づいて第１の実施形態を示す。なお以下の説明に用いられる方向は棚板１に載置された本を取り出す際に人が立つ側を棚板１の前側と規定したものであって、またブックエンド２の説明に用いられる方向は、ブックエンド２を棚板１に取付けた状態におけるものとする。
【００１４】
本実施形態のブックエンド２の取付け構造にあっては、図１に示すように木材等により形成されて例えば棚の内部に架設される水平な棚板１と、該棚板１に着脱自在に取付けられるブックエンド２とを備えている。ブックエンド２は線材５によって形成されており、棚板１に載置された本を支持するための本支持部３と、本支持部３の下端に設けた側面視略後向きコ字状のコ字状挟持部４とで構成されている。
【００１５】
上記ブックエンド２の本支持部３は図１に示すように平面視前後方向に沿う直線状且つ側面視略矩形枠状に形成されており、金属製で且つ断面円状の一本の線材５を屈曲して該線材５の両端を接続することで形成されている。即ち本支持部３は前後の夫々に配された前縦線状部５ａ及び後縦線状部５ｂと、上下に夫々配された上横線状部５ｃ及び下横線状部５ｄとからなる。なお本支持部３の前後方向の長さは棚板１の前後方向の長さと略同じものとする。また本支持部３は平面視前後方向に沿う直線状であれば良く、例えば前後方向に沿う厚みの薄い板材等によって形成してあっても良い。
【００１６】
コ字状挟持部４はその上端が本支持部３の下端に接続されており、図１に示すように上横辺部分を構成する上面当接部４ａと、中央辺部分を構成する端面近接部４ｂと、下横辺部分を構成する下面弾接部４ｃとからなる。上面当接部４ａは上方から見て本支持部３と略重複するように前記本支持部３と平行（即ち前後方向と平行）な平面視略直線状に形成してあり、また下面弾接部４ｃは前後方向の全部（一部であっても良い）が左右方向において前記上面当接部４ａよりも幅広に形成されている。ここでコ字状挟持部４の前端は前後方向において本支持部３の前端と略同じ位置に配されており、また端面近接部４ｂはその上下方向の長さ（図１中矢印イ参照）が棚板１の厚みと略同じとなるように形成されているものとする。またブックエンド２を棚板１に取付ける前の下面弾接部４ｃは後方程上方に位置するように傾斜している。
【００１７】
具体的にはコ字状挟持部４は線材からなり、図２に示すように本支持部３の下横線状部５ｄの左右方向の両側部に接続した断面円状の線材を側面視略後向きコ字状に折り曲げてなるコ字状線材６、６にて構成されている。即ちコ字状挟持部４の上面当接部４ａは両コ字状線材６、６の上横辺部分にて構成されており、端面近接部４ｂは両コ字状線材６、６の中央辺部分にて構成されており、下面弾接部４ｃは両コ字状線材６の下横辺部分にて構成されている。ここで各コ字状線材６、６の上横辺部分及び下横辺部分は本支持部３に平行（即ち前後方向に平行）に配されており、各コ字状線材６、６の上横辺部分は前端部を除く略全長が本支持部３の下横線状部５ｄに接続されている。そして両コ字状線材６、６の中央辺部分は図１に示すように下方程両中央辺部分の間隔が離れるように末広がり状に傾斜しており、これにより両コ字状線材６、６の下横辺部分は上横辺部分よりも左右方向に幅広に形成されることとなり、結果、下面弾接部４ｃの前後方向における全部が上面当接部４ａよりも左右方向に幅広に形成されることとなる。
【００１８】
また図１に示すようにコ字状挟持部４の下面弾接部４ｃの先端、即ち各コ字状線材６の下横辺部分の先端には合成樹脂等で形成された保護キャップ１０を取付けてあり、これにより後述するブックエンド２の取り付けの際に各コ字状線材６の下横辺部分の先端が棚板１の下面に直接当たらないようになり、棚板１が傷付き難くなる。
【００１９】
次に上記ブックエンド２の取付けについて図１に基づいて説明する。ブックエンド２を棚板１に取付ける場合は、まず図１に示すように棚板１の前方に本支持部３が前後方向に平行となるようにブックエンド２を配置すると共に、矢印ロに示すように下面弾接部４ｃをその先端が上面当接部４ａから離れるように弾性変形させる。この後、矢印ハに示すようにブックエンド２を後方（棚板１側）に移動して、コ字状挟持部４の後方よりコ字状挟持部４内に棚板１を挿入すると共に、弾性変形した下面弾接部４ｃを元の状態に戻して、この下面弾接部４ｃの復帰力により棚板１の下面に下面弾接部４ｃを弾接し、コ字状挟持部４にて棚板１を挟持する。上記のようにブックエンド２は、コ字状挟持部４内に棚板１を挿入するだけで上面当接部４ａと下面弾接部４ｃとで棚板１を挟持でき、ブックエンド２を簡単に棚板１に取付けることができる。
【００２０】
しかしてブックエンド２は、上面当接部４ａがコ字状挟持部４内に挿入された棚板１の上面に当接し（図２及び図３参照）、下面弾接部４ｃが棚板１の下面に弾接し（図４参照）、コ字状挟持部４の端面近接部４ｂに棚板１の前端面が近接した状態で、棚板１に取付けられる。なお本実施形態では図１に示すようにコ字状挟持部４内に棚板１の前後方向における後端部を除く略全部を挿入してあるが、これに限定されるものではなく、棚板１の前後方向の全部を挟持しても良く、また棚板１の前端部のみを挟持しても良いものとする。
【００２１】
上記のようにブックエンド２を棚板１に取付けることで、本支持部３を棚板１と直交し且つ棚板１の前後方向における略全長に亘るように棚板１の上面に配置することができ、これにより棚板１に本を直立させて載置した際に、ブックエンド２の本支持部３に本を立て掛けて支持することが可能となり、またこの本支持部３により棚板１の上面を左右方向に並んだ複数の本を載置するためのスペースに区画することができる。
【００２２】
しかもこの場合、コ字状挟持部４で棚板１を挟持してブックエンド２を棚板１に取付けているため、本支持部３にて本を支持した際等にブックエンド２が左右方向や前後方向にずれることを防止できる。さらには上記のようにコ字状挟持部４の上面当接部４ａを前後方向に沿う平面視略直線状に形成し、コ字状挟持部４の下面弾接部４ｃの前後方向の一部又は全部を左右方向において前記平面視略直線状の上面当接部４ａよりも幅広に形成し、ブックエンド２のコ字状挟持部４内に棚板１を挿入し、該コ字状挟持部４内に挿入された棚板１の上面に上面当接部４ａを当接すると共に該棚板１の下面に下面弾接部４ｃを弾接して、コ字状挟持部４で棚板１を挟持するといった取付け構造により、ブックエンド２の棚板１の上方に露出する部分は、前後方向に沿う平面視直線状の本支持部３と、前後方向に沿う平面視略直線状の上面当接部４ａのみが露出することとなり、即ちブックエンド２の棚板１の上方に露出する部分を前後方向に平行な平面視直線状とすることができ、これにより従来のように棚板１の上方において邪魔になるブックエンド２の幅の広い部分が露出することがなく、結果、棚板１の上面における本を載置するためのスペースを広くでき、且つ簡単に棚板１に本を載置できる。また上記のようにブックエンド２の棚板１の上方に露出する部分を前後方向に平行な平面視直線状とした場合、取付け構造上ブックエンド２が左右方向に倒れ易くなるという問題があるが、本実施形態では棚板１の上方に露出しない箇所である棚板１の下面に左右方向に幅の広い下面弾接部４ｃを弾接しているため、ブックエンド２の棚板１の上方に露出する部分を前後方向に平行な平面視直線状としたにも関わらず、本支持部３にて本を支持した際等にブックエンド１が左右方向に回動して倒れることを防止できる。
【００２３】
次に上記とは異なる第２の実施形態を図５に示す。なお上記実施形態と同一の構成については同一の番号を付与してあり、重複する説明については説明を省略する。
【００２４】
本実施形態のブックエンド２の本支持部３は図５に示すように側面視略下向きコ字状に形成されており、線材５を屈曲形成してなるものである。即ち本支持部３は前後の夫々に配された前縦線状部５ａ及び後縦線状部５ｂと、上に配された上横線状部５ｃとからなる。本支持部３の前端の下端（前縦線状部５ａの下端）にはコ字状挟持部４を設けてあり、該コ字状挟持部４は、前縦線状部５ａの下端から後方に延設した部分と、前縦線状部５ａの下端に設けた側面視略Ｌ字状の２本の線材８、８とで構成されている。ここで前縦線状部５ａの下端から後方に延設した部分にて上面当接部４ａを構成し、側面視Ｌ字状の両線材８、８の縦辺部分にて端面近接部４ｂを構成し、両線材８、８の横辺部分にて下面弾接部４ｃを構成してある。
【００２５】
また上記本支持部３の後端の下端（後縦線状部５ｂの下端）には側面視逆Ｌ字状の係合片９（係合部）を設けている。この係合片９は本支持部３よりも左右方向に僅かに幅広に形成されており、後縦線状部５ｂの下端から前方に延設した部分に設けた横片部９ａと、縦片部９ｂとで構成されている。
【００２６】
そして上記ブックエンド２を棚板１に取付ける場合は、例えば以下のようにして行う。まず上記図１に示す実施形態同様本支持部３及び下面弾接部４ｃを弾性変形させると共に、コ字状挟持部４内に棚板１を挿入して、棚板１の下面に下面弾接部４ｃを弾接して、コ字状部挟持部４にて棚板１を挟持する。この後、係合片９を棚板１の後端面（即ちブックエンド２の取付け状態において棚板１の端面近接部４ｂに近接する端面の反対側の端面）に係合する。
【００２７】
しかして、上面当接部４ａがコ字状挟持部４内に挿入された棚板１の上面に当接し、下面弾接部４ｃが棚板１の下面に弾接して、コ字状挟持部４にて棚板１を挟持し、且つ端面近接部４ｂに棚板１の前端面が近接し、係合片９の横片部９ａが棚板１の上面の後端部に当接し、係合片９の縦片部９ｂが棚板１の後端面に当接した状態でブックエンド２が棚板１に取付けられる。なおこの場合、棚板１をその後端が建物の壁や家具等の壁面に沿った状態で配し、該壁面と棚板１の後端とで前記係合片９（詳しくは係合片９の縦片部９ｂ）を挟持しても良いものとする。
【００２８】
このように本支持部３の下端に棚板１の後端面に係合する係合部としての係合片９を設け、コ字状挟持部４の端面近接部４ｂをコ字状挟持部４内に挿入された棚板１の端面に近接し、棚板１の後端面に本支持部３の係合片９を係合することで、コ字状挟持部４の端面近接部４ｂと、係合片９の縦片部９ｂとでブックエンド２が前後方向に移動することを防止できる。また係合片９の横片部９ａを棚板１の上面の後端部に当接することで、ブックエンド２が左右方向に回動して倒れることをより一層防止できる。
【００２９】
なお本実施形態ではブックエンド２の本支持部３及びコ字状挟持部４を上記図１に示す実施形態と異なるものとしたが、該本支持部３及びコ字状挟持部４を図１に示す実施形態と同じものとしても良く、また逆に本実施形態のブックエンド２の本支持部３とコ字状挟持部４とを第１の実施形態に適用しても良いものとする。
【００３０】
次に図６に基づいて上記第１及び第２の実施形態におけるブックエンドの変形例を示す。なお上記図１の実施形態と同一の構成については同一の番号を付与してあり、重複する説明については説明を省略する。
【００３１】
図６（ａ）に示すブックエンド２のコ字状挟持部４は、本支持部３の下横線状部５ｄからなる上面当接部４ａと、本支持部３の前縦線状部５ａを下方に延設した部分からなる端面近接部４ｂと、端面近接部４ｂの下端から後方に突設した薄板状の下面弾接部４ｃとからなり、下面弾接部４ｃは、後方程左右方向に幅広となるように末広がり状に形成されている。即ち本支持部３の下横線状部５ｄは上面当接部４ａを兼用しており、上面当接部４ａは上方から見て本支持部３と重複する平面視直線状である。
【００３２】
図６（ｂ）に示すブックエンド２のコ字状挟持部４は、本支持部３の下横線状部５ｄからなる上面当接部４ａと、本支持部３の前縦線状部５ａを下方に延設した部分からなる端面近接部４ｂと、この端面近接部４ｂの下端から後方に突設した平面視二又線状の下面弾接部４ｃとからなり、二又線状の下面弾接部４ｃは後に行く程左右方向において幅広となるように末広がり状に形成されている。即ち本支持部３の下横線状部５ｄは上面当接部４ａを兼用しており、上面当接部４ａは上方から見て本支持部３と重複する平面視直線状である。
【００３３】
図６（ｃ）に示すブックエンド２のコ字状挟持部４は、本支持部３の下横線状部５ｄからなる上面当接部４ａと、本支持部３の前縦線状部５ａを下方に延設した部分からなる端面近接部４ｂと、この端面近接部４ｂの下端を更に後方に延設した部分に設けた薄板状の下面弾接部４ｃとからなり、下面弾接部４ｃは後に行く程左右方向において幅広となるように末広がり状に形成されている。即ち本支持部３の下横線状部５ｄは上面当接部４ａを兼用しており、上面当接部４ａは上方から見て本支持部３と重複する平面視直線状である。
【図面の簡単な説明】
【００３４】
【図１】本発明の実施の形態の一例のブックエンドの取付け構造を示す分解斜視図である。
【図２】同上のブックエンドを棚板に取付けた状態を示す要部拡大斜視図である。
【図３】同上の下面図である。
【図４】同上の斜視図である。
【図５】第２の実施形態の一例のブックエンドを示す斜視図である。
【図６】（ａ）〜（ｃ）はブックエンドの変形例を示した要部拡大斜視図である。
【符号の説明】
【００３５】
１  棚板
２  ブックエンド
３  本支持部
４  コ字状挟持部
４ａ  上面当接部
４ｂ  端面近接部
４ｃ  下面弾接部
【図１】
2005066124.tif 000003
【図２】
2005066124.tif 000004
【図３】
2005066124.tif 000005
【図４】
2005066124.tif 000006
【図５】
2005066124.tif 000007
【図６】
2005066124.tif 000008